(57)【要約】【課題】送水後に送水口から液体が漏れない内視鏡用の送水ノズルを提供する。【解決手段】液体を内視鏡の先端から噴射する送水チャンネルの先端に取り付けられる内視鏡用の送水ノズルであって、送水ノズルは、送水チャンネルの先端部と取り外し可能に嵌合する基端部と、液体を噴射するための切り込みが設けられた先端部とからなり、切り込みによって形成された複数の先端舌片は、液体を噴射しないときは互いに密着して送水ノズルの先端から残液が流れ出ることのない状態を維持し、該液体を噴射するときは該液体の水圧により互いに離間した状態となる内視鏡用の送水ノズルを提供する。【選択図】図２
2011050657.tif 000002
【特許請求の範囲】
【請求項１】
液体を内視鏡の先端から噴射する送水チャンネルの先端に取り付けられる内視鏡用の送水ノズルであって、
前記送水ノズルは、
前記送水チャンネルの先端部と取り外し可能に嵌合する基端部と、
前記液体を噴射するための切り込みが設けられた先端部と、からなり、
前記切り込みによって形成された複数の先端舌片は、前記液体を噴射しないときは互いに密着して前記送水ノズルの先端から残液が流れ出ることのない状態を維持し、該液体を噴射するときは該液体の水圧により互いに離間した状態となる、
ことを特徴とする内視鏡用の送水ノズル。
【請求項２】
前記内視鏡用の送水ノズルは、副送水を内視鏡の先端から噴射する副送水チャンネルの先端に取り付けられる内視鏡用の副送水ノズルであって、
前記副送水ノズルは、
前記副送水チャンネルの先端部と取り外し可能に嵌合する基端部と、
前記副送水を噴射するための第１の切り込みが設けられた先端部と、からなり、
前記第１の切り込みによって形成された複数の先端舌片は、前記副送水を噴射しないときは互いに密着して前記副送水ノズルの先端から残液が流れ出ることのない状態を維持し、該副送水を噴射するときは該副送水の水圧により互いに離間した状態となる、
ことを特徴とする請求項１に記載の内視鏡用の送水ノズル。
【請求項３】
前記内視鏡用の送水ノズルは、対物レンズの洗浄液を内視鏡の先端から噴射する洗浄液チャンネルの先端に取り付けられる内視鏡用の洗浄液ノズルであって、
前記洗浄液ノズルは、
前記洗浄液チャンネルの先端部と取り外し可能に嵌合する基端部と、
前記洗浄液を噴射するための第２の切り込みが設けられた先端部と、からなり、
前記第２の切り込みによって形成された複数の先端舌片は、前記洗浄液を噴射しないときは互いに密着して前記洗浄液ノズルの先端から残液が流れ出ることのない状態を維持し、該洗浄液を噴射するときは該洗浄液の水圧により互いに離間した状態となる、
ことを特徴とする請求項１に記載の内視鏡用の送水ノズル。
【請求項４】
前記副送水ノズルの先端部は、先細円錐形状に形成され、
前記第１の切り込みは、前記副送水ノズルの先端部の円錐の頂点から外周にかけて放射線状に形成されている、
ことを特徴とする請求項２に記載の内視鏡用の送水ノズル。
【請求項５】
前記副送水ノズルの先端部は、先細円錐形状に形成され、
前記第１の切り込みは、前記副送水ノズルの先端部の円錐の頂点から外周にかけて螺旋状に形成されている、
ことを特徴とする請求項２に記載の内視鏡用の送水ノズル。
【請求項６】
前記副送水ノズルの基端部の外周面には、凹部又は凸部が形成され、該凹部又は凸部が前記副送水チャンネルに設けられた凸部又は凹部と嵌め合うことを特徴とする請求項２，４，５のいずれか一項に記載の内視鏡用の送水ノズル。
【請求項７】
前記副送水ノズルは、シリコン樹脂あるいはシリコンゴムからなることを特徴とする請求項２，４，５，６のいずれか一項に記載の内視鏡用の送水ノズル。
【請求項８】
前記第１の切り込みは、前記副送水ノズルの前記先端舌片を３〜８個に分割することを特徴とする請求項２，４，５，６，７のいずれか一項に記載の内視鏡用の送水ノズル。
【請求項９】
前記第２の切り込みは、前記内視鏡の先端面と略平行に形成され、前記洗浄液ノズルの先端部を上側部材と下側部材とに分割することを特徴とする請求項３に記載の内視鏡用の送水ノズル。
【請求項１０】
前記上側部材は前記下側部材よりも肉厚に形成されていることを特徴とする請求項９に記載の内視鏡用の送水ノズル。
【請求項１１】
前記洗浄液ノズルの基端部の外周面には、凹部又は凸部が形成され、該凹部又は凸部が前記洗浄液チャンネルに設けられた凸部又は凹部と嵌め合うことを特徴とする請求項３，９，１０のいずれか一項に記載の内視鏡用の送水ノズル。
【請求項１２】
前記洗浄液ノズルには前記洗浄液チャンネルの開口端と係合する引掛かり部が設けられていることを特徴とする請求項３，９，１０のいずれか一項に記載の内視鏡用の送水ノズル。
【請求項１３】
前記洗浄液ノズルは、シリコン樹脂あるいはシリコンゴムからなることを特徴とする請求項３，９，１０，１１，１２のいずれか一項に記載の内視鏡用の送水ノズル。
【請求項１４】
前記副送水ノズルは、前記内視鏡の先端を覆う先端キャップと一体化されていることを特徴とする請求項２，４，５，６，７，８のいずれか一項に記載の内視鏡用の送水ノズル。
【請求項１５】
前記洗浄液ノズルは、前記内視鏡の先端を覆う先端キャップと一体化されていることを特徴とする請求項３，９，１０，１１，１２，１３のいずれか一項に記載の内視鏡用の送水ノズル。
【発明の詳細な説明】
【技術分野】
【０００１】
本発明は、内視鏡における送水ノズルに関する。
【背景技術】
【０００２】
従来より、患者の体腔内における対象部位の観察や撮像を行う内視鏡においては、体腔内に挿入される長尺な挿入管の先端に送気口や送水口が設けられている。このような内視鏡として特許文献１に示すような構成が提案されている。また、内視鏡の先端部はステンレス鋼又は硬質プラスチック等により形成されており、この先端部には弾力性のある電気絶縁性のプラスチック又はゴム材等からなる先端キャップが着脱自在に被せられている。
【０００３】
図１に上記のような従来の内視鏡の先端１の正面図を示す。内視鏡は内視鏡プロセッサ（図示せず）に接続される。内視鏡プロセッサに搭載されている光源から出射される光は内視鏡内に設けられたライトガイドを伝搬して内視鏡の先端１に到達し、照射口６，７より照明光として対象部位に照射される。対象部位からの反射光は、対物レンズ部３に入射し、対物レンズ部３の後段に設けられたＣＣＤやＣＭＯＳ等の撮像素子の撮像面に結像される。また、内視鏡の先端１には、処置具突出口８が設けられており、生体鉗子や細胞採取用ブラシ、異物除去用鉗子、洗浄用パイプ、注射針等、種々の処置具を、内視鏡の鉗子口（図示せず）から挿入し、処置具突出口８を経由して病変部等の処置対象部位に適用して処置を行う。
【０００４】
内視鏡の先端１には、副送水を噴射するための副送水口２と対物レンズ部３の対物レンズを洗浄するための送気・送水口４，５が設けられている。副送水口２は、洗浄液を噴射させて視野内にある汚物を除去したり、染色液を噴射させて対象部位を染色したりするために用いられる。なお、このような洗浄液や染色液は、内視鏡の先端１の対物レンズ部３を洗浄するために送られる液体と区別するために、一般に副送水と呼ばれている。送気・送水口４，５は、送気によって患者の管腔を広げて視野を確保したり、体液や出血などで対物レンズ表面が汚れて内視鏡の観察性能が低下した場合に、洗浄液を噴射してレンズ表面の汚れを除去し、空気を送って対物レンズ表面の液滴を飛ばすことで視界を回復したりするために用いられる。
【先行技術文献】
【特許文献】
【０００５】
【特許文献１】特開平０６−１６９８７９号公報
【発明の概要】
【発明が解決しようとする課題】
【０００６】
ところが、上記の構成を有する従来の内視鏡では、内視鏡を患者の体腔から抜き出した後に内視鏡の洗浄液チャンネルや副送水チャンネルに残留している洗浄液、副送水、水等が意図せず送気・送水口や副送水口から流れ出てしまい、染色液や水を不用意に床にこぼして汚す可能性がある。また、副送水や対物レンズ用の洗浄液を噴射する際に広角に拡散するため、所望の部位に効率良く副送水を噴射することができなかったり、対物レンズ以外の位置に洗浄液が飛んでしまったりする。そのため、副送水を噴射したり対物レンズを洗浄したりした場合は、その後の施術に手間がかかる可能性がある。
【０００７】
本発明は上記に鑑みてなされたものである。本発明の目的は、送水後に内視鏡先端から副送水等の水が漏れ出ないようにしつつ、所望の部位に効率良く副送水を噴射したり対物レンズに洗浄液を効率良く噴射することができる使い捨て可能な送水ノズルを提供することである。
【課題を解決するための手段】
【０００８】
本発明の内視鏡用の送水ノズルは、液体を内視鏡の先端から噴射する送水チャンネルの先端に取り付けられる内視鏡用の送水ノズルであって、送水ノズルは、送水チャンネルの先端部と取り外し可能に嵌合する基端部と、液体を噴射するための切り込みが設けられた先端部とからなり、切り込みによって形成された複数の先端舌片は、液体を噴射しないときは互いに密着して送水ノズルの先端から残液が流れ出ることのない状態を維持し、該液体を噴射するときは該液体の水圧により互いに離間した状態となる。
【０００９】
好ましくは、内視鏡用の送水ノズルは、副送水を内視鏡の先端から噴射する副送水チャンネルの先端に取り付けられる内視鏡用の副送水ノズルであって、副送水ノズルは、副送水チャンネルの先端部と取り外し可能に嵌合する基端部と、副送水を噴射するための第１の切り込みが設けられた先端部とからなり、第１の切り込みによって形成された複数の先端舌片は、副送水を噴射しないときは互いに密着して副送水ノズルの先端から残液が流れ出ることのない状態を維持し、該副送水を噴射するときは該副送水の水圧により互いに離間した状態となる。または、内視鏡用の送水ノズルは、対物レンズの洗浄液を内視鏡の先端から噴射する洗浄液チャンネルの先端に取り付けられる内視鏡用の洗浄液ノズルであって、洗浄液ノズルは、洗浄液チャンネルの先端部と取り外し可能に嵌合する基端部と、洗浄液を噴射するための第２の切り込みが設けられた先端部とからなり、第２の切り込みによって形成された複数の先端舌片は、洗浄液を噴射しないときは互いに密着して洗浄液ノズルの先端から残液が流れ出ることのない状態を維持し、該洗浄液を噴射するときは該洗浄液の水圧により互いに離間した状態となる。
【００１０】
より好ましくは、副送水ノズルの先端部は、先細円錐形状に形成され、第１の切り込みは、副送水ノズルの先端部の円錐の頂点から外周にかけて放射線状に形成されている。または、副送水ノズルの先端部は、先細円錐形状に形成され、第１の切り込みは、副送水ノズルの先端部の円錐の頂点から外周にかけて螺旋状に形成されている。このため、噴射される副送水の水流束が直線状にまとまるため、効率良く副送水を所望の部位に当てることができる。そして、副送水ノズルの基端部の外周面には、凹部又は凸部が形成され、該凹部又は凸部が副送水チャンネルに設けられた凸部又は凹部と嵌め合う。このため、副送水ノズルをより強固に副送水チャンネルに装着することができる。
【００１１】
また、第２の切り込みは、内視鏡の先端面と略平行に形成され、洗浄液ノズルの先端部を上側部材と下側部材とに分割する。そして、上側部材は下側部材よりも肉厚に形成されている。このため、洗浄液の水圧を受けた際に、上側部材よりも下側部材の方がより大きく湾曲するため、洗浄液は対物レンズ部側に噴射される。なお、洗浄液ノズルの基端部の外周面には、凹部又は凸部が形成され、該凹部又は凸部が洗浄液チャンネルに設けられた凸部又は凹部と嵌め合う。また、洗浄液ノズルには洗浄液チャンネルの開口端と係合する引掛かり部が設けられている。
【００１２】
さらに好ましくは、副送水ノズルあるいは洗浄液ノズルは、内視鏡の先端を覆う先端キャップと一体化されている。
【発明の効果】
【００１３】
本発明の内視鏡用の送水ノズルによれば、患者の体腔内から内視鏡を抜き出したときに、副送水チャンネルや洗浄液チャンネル内に残留している液体が内視鏡の先端から漏れ出ることがなくなる。さらに、副送水や洗浄液等を対象部位や対物レンズに効率良く噴射することができる。また、施術後に、ノズルないし先端キャップを取り外して洗浄ブラシ等を洗浄液チャンネルに通すことができるため、洗浄も容易に行うことができる。ノズルやキャップのみを取り外して交換することもできるため、内視鏡先端部の衛生性と安全性を安価に確保することもできる。そして、一方のチャンネル内の液体が他のチャンネル内に進入することを懸念する必要がなくなるため、対物レンズに付着した汚物を洗浄する際に汚水が副送水口から進入する可能性もなくなる。
【図面の簡単な説明】
【００１４】
【図１】（ａ）は、従来及び本発明の第１及び第２の実施形態に係る内視鏡の先端を示す正面図であり、（ｂ）は、本発明の第３及び第４の実施形態に係る内視鏡の先端を示す正面図である。
【図２】（ａ）及び（ｂ）は、図１（ａ）のＡ−Ａ線断面図であり、図２（ａ）は、本発明の第１の実施形態に係る内視鏡用の送水ノズルから液体が噴射されていないときの状態を示し、図２（ｂ）は、液体が噴射されたときの状態を示す。
【図３】（ａ）〜（ｄ）は、図２における内視鏡用の送水ノズルの構造を示す拡大図であり、図３（ａ）は、液体が噴射されていない状態の拡大正面図、図３（ｂ）は、図３（ａ）のＢ−Ｂ線断面図、図３（ｃ）は、液体が噴射された状態の拡大正面図、図３（ｄ）は、図３（ｃ）のＣ−Ｃ線断面図である。
【図４】（ａ）〜（ｄ）は、本発明の第２の実施形態に係る内視鏡用の送水ノズルの構造を示す拡大図であり、図４（ａ）は、液体が噴射されていない状態の拡大正面図、図４（ｂ）は、図４（ａ）のＤ−Ｄ線断面図、図４（ｃ）は、液体が噴射された状態の拡大正面図、図４（ｄ）は、図４（ｃ）のＥ−Ｅ線断面図である。
【図５】（ａ）及び（ｂ）は、図１（ｂ）のＡ’−Ａ’線断面図であり、図５（ａ）は、本発明の第３の実施形態に係る内視鏡用の送水ノズルから液体が噴射されていないときの状態を示し、図５（ｂ）は、液体が噴射されたときの状態を示す。
【図６】本発明の第３の実施形態に係る内視鏡用の送水ノズルの取付状態を示す図である。
【図７】本発明の第４の実施形態に係る内視鏡用の送水ノズルの取付構造を示す概略図である。
【発明を実施するための形態】
【００１５】
以下、図面を参照して、本発明の実施形態に係る内視鏡用の送水ノズルの構造について説明する。なお、複数の図にまたがって同じ部材を示す場合は同じ番号を付すこととする。
【００１６】
本発明の第１の実施形態に係る内視鏡の先端１０の正面図は、図１（ａ）に示される。図２（ａ）及び（ｂ）は、図１（ａ）のＡ−Ａ線断面図である。本実施形態では、内視鏡用の送水ノズルとして、副送水チャンネルに取り付けられる副送水ノズルを示している。図２（ａ）は、副送水ノズルが副送水の噴射を行わないときの状態を示す図であり、図２（ｂ）は、副送水の噴射を行っているときの状態を示す図である。内視鏡の先端１０は、生体適合性及び弾性を有するシリコン樹脂あるいはシリコンゴムからなる先端キャップ１１により被覆されている。先端キャップ１１には、内視鏡の先端１０に配置された副送水口２、対物レンズ部３、送気・送水口４，５、照明光用の照射口６，７、処置具突出口８を塞がないように開口部が設けられている。先端キャップ１１の内周面には、内視鏡の先端１０の外周面に設けられた窪みに係合するように突起１２が設けられている。先端キャップ１１の突起１２を窪みに嵌め込むことにより、先端キャップ１１を内視鏡の先端１０に装着することができる。
【００１７】
また、副送水口２内でかつ副送水チャンネル１３の先端には、生体適合性及び弾性を有するシリコン樹脂あるいはシリコンゴムからなる副送水ノズル１４が配置されている。副送水ノズル１４は、円筒状の基端部と先細円錐形状の先端部とで構成されている。そして、基端部の外周面には、突起１５ａ〜１５ｄが設けられている。該突起１５ａ〜１５ｄを副送水口２の内周面に設けられた窪みに嵌め込むことにより、副送水ノズル１４を副送水チャンネル１３の先端に取り外し可能に装着することができる。このため、副送水を噴射する際に副送水ノズル１４が副送水の水圧によって副送水チャンネル１３の先端から内視鏡の先端１０の外に押し出されないようにすることができる。
【００１８】
副送水ノズル１４の先端部の円錐面には、円錐の頂点から外周にかけて走る切り込み１４ａが設けられており、副送水の噴射部を形成する。副送水を噴射しないときには、切り込み１４ａによって形成された各先端舌片同士は、図３（ａ）に示すように、自らの復元力により互いに隙間なく密着した状態になる。従って、副送水の噴射を止めた後に、副送水ノズル１４の先端に液体が残ったとしても、残液は、先端舌片の持つ復元力と液体の表面張力とによってその場に維持されるため、この状態で、内視鏡を体腔内から引き抜いたとしても、副送水口２から残液が漏れ出ることはない。さらに、送気・送水口４から送気・送水を行ったときに対物レンズ部３に付着していた汚物等が副送水口２から副送水チャンネル１３内に進入しないように、副送水ノズル１４によって防止することもできる。なお、副送水ノズル１４の基端は、副送水チャンネル１３を構成する長尺の円筒管の端部と当接するため、副送水ノズル１４の位置決めが容易になる。
【００１９】
図２（ｂ）に、副送水を噴射しているときの副送水ノズル１４の状態を示す。副送水を噴射する際、副送水ノズル１４の各切り込み１４ａは、副送水の水圧によって互いに離間した状態になり、副送水は切り込み１４ａの間にできた隙間を経由して噴射され、対象部位に到達する。
【００２０】
図３（ａ）〜（ｄ）は、図２（ａ）及び（ｂ）における副送水ノズル１４の拡大図及び断面図である。図３（ｂ）は、図３（ａ）のＢ−Ｂ線に沿う断面図であり、図３（ｄ）は、図３（ｃ）のＣ−Ｃ線に沿う断面図である。図３（ａ）に示すように、副送水ノズル１４の円錐形状の先端部には、円錐の軸方向から見たときに円錐の頂点から外周にかけて放射線状に切り込み１４ａが形成されている。切り込み１４ａは回転対称をなすように形成されているため、噴射方向に偏りなく副送水を送り出すことができる。副送水ノズル１４の切り込み１４ａの数は３以上である必要があり、切り込みの数が多いほど直線状にまとまった副送水を噴射することができるが、切り込みの数が多くなるほど切り込み加工が難しくなるため、切り込みの数を８程度とするのが好ましい。すなわち、切り込み１４ａによって副送水ノズル１４の先端部において３〜８つの舌片に分割されているのが好ましい。図３（ａ）〜（ｄ）は、舌片が８つに分割されている場合の副送水ノズル１４を示す。副送水ノズル１４の円筒形状の基端部外周面には四方に突起１５ａ〜１５ｄが形成されている。この突起１５ａ〜１５ｄが副送水口２の内周面に設けられた窪みと嵌め合わされることにより、副送水ノズル１４が副送水チャンネル１３の先端に取り外し可能に装着される。なお、副送水ノズル１４の長手方向における全長は、副送水ノズル１４を副送水口２に装着したときに、副送水ノズル１４が副送水口２から突出しない長さにする。これにより、副送水ノズル１４が内視鏡１０の先端から突出せず、施術に支障を来すことはない。
【００２１】
図３（ｃ）に示すように、副送水ノズル１４から副送水を噴射しているときは、副送水の水圧により、各切り込みが互いに離間して、正面から見ると星形の開口部が形成される。副送水は、この開口部を経由して、副送水ノズル１４を用いない場合に比べてより直線的な水流となって送り出される。従って、施術者は、所望の部位により適確かつ効率的に副送水を噴射することができる。
【００２２】
図４（ａ）〜（ｄ）は、本発明の第２の実施形態に係る内視鏡用の送水ノズルの拡大図及び断面図である。図４（ｂ）は、図４（ａ）のＤ−Ｄ線に沿う断面図であり、図４（ｄ）は、図４（ｃ）のＥ−Ｅ線に沿う断面図である。図３の副送水ノズル１４とは異なり、切り込みが放射線状にではなく螺旋状に形成されている。このため、噴射される副送水の水流束が、副送水ノズル１４の長手方向に垂直な面において自律的あるいは強制的に旋回運動を行いつつ対象部位に到達するため、切り込みが放射線状である場合に比べてより収束性が高く直線的な水流となって送り出される。本実施形態においても、副送水ノズル１４を副送水口２内に装着するために副送水ノズル１４の基端部外周面には四方に突起１５ａ〜１５ｄが形成されている。
【００２３】
図５（ａ）及び（ｂ）は、本発明の第３の実施形態に係る内視鏡用の送水ノズルの構造の概略を示す断面図であり、図１（ｂ）のＡ’−Ａ’線に沿う断面図である。本実施形態においては、内視鏡の先端１００に設けられその開口が対物レンズ部３に向いた送気・送水口２０に洗浄液ノズル１７が取り外し可能に装着されている。洗浄液ノズル１７は、生体適合性及び弾性を有するシリコン樹脂あるいはシリコンゴムからなる嘴状の部材１７ａ，１７ｂが上下に重ね合わされて構成された先端部と扁平な円筒形状の基端部１７ｄによって構成されており、嘴状の部材１７ａ，１７ｂによって先端舌片を構成し、内視鏡の先端面に略平行な方向にノズル用の直線状の切り込み１７ｃが形成されている。このため、洗浄液ノズル１７から噴射される液体は、内視鏡の先端面に平行な面において拡散される。このため、洗浄液や水を効率良く対物レンズ部３に噴射することができる。また、洗浄液ノズル１７の上側部材１７ａは、対物レンズの視野角内に入らないように、その上面が洗浄液ノズル１７の先端に向かって傾斜している。
【００２４】
図６は、洗浄液ノズル１７を送気・送水口２０に取り付ける際の状態を示す。洗浄液ノズル１７の基端部１７ｄには突起１８が設けられており、この突起１８が、洗浄液チャンネル１６の先端開口を被覆する蓋体２１に穿たれた送気・送水口２０内の上面に設けられた窪みと嵌め合わされることにより、洗浄液ノズル１７が送気・送水口２０に装着される。さらに、図５（ａ）及び（ｂ）に示すように、洗浄液ノズル１７の基端部１７ｄの下端には、洗浄液チャンネル１６の開口端と係合する引掛かり部１９が設けられている。よって、これら突起１８及び引掛かり部１９により、洗浄液ノズル１７は、送気・送水口２０に取り外し可能に装着されると共に、送水時に水圧が掛かっても送気・送水口２０に装着された状態を維持することができる。
【００２５】
図５（ａ）及び（ｂ）に示すように、上側部材１７ａは、下側部材１７ｂよりも肉厚に形成されている。図５（ｂ）は、噴射時の洗浄液ノズル１７の状態を示す。図５（ｂ）に示すように、洗浄液ノズル１７に洗浄液による水圧がかかったとき、上側部材１７ａの湾曲よりも下側部材１７ｂの湾曲の方が大きくなり、上側部材１７ａと下側部材１７ｂとの間に隙間が生じ、この隙間から洗浄液が噴射される。従って、洗浄液ノズル１７は対物レンズ部３側に開口する状態となり、洗浄液は対物レンズ部３側に噴射される。送水を停止すると、下側部材１７ｂは噴射前の位置に戻り、上側部材１７ａと密着する状態になる。このため、送水停止後に洗浄液チャンネル内に残留している洗浄液は、下側部材１７ｂの復元力と自らの表面張力とによって洗浄液ノズル１７の隙間から漏れ出すことはない。
【００２６】
図７は、本発明の第４の実施形態に係る内視鏡用の送水ノズルの構造の概略を示す断面図であり、図１（ｂ）のＡ’−Ａ’線に沿う断面図である。第３の実施形態と同様、本実施形態に係る内視鏡の先端２００の正面図は、図１（ｂ）と同じである。本実施形態においては、副送水ノズル１４及び洗浄液ノズル１７が先端キャップ１１に一体として設けられている。このため、副送水ノズル１４や洗浄液ノズル１７をそれぞれ副送水チャンネル１３や洗浄液チャンネル１６に個別に着脱する手間を省くことができる。また、副送水ノズル１４や洗浄液ノズル１７に上記のような突起や引掛かり部を設けなくても、先端キャップ１１と共に内視鏡の先端２００に位置決め固定することができる。
【００２７】
以上が本発明の実施形態に関する説明である。送水ノズルを固定するための突起の数は、上記の説明における数に限らず任意に決定することができる。また、上記の説明における送水ノズルの突起とこの突起と嵌め合う窪みの凹凸を互いに逆にして、送水ノズルに凹部となる窪みを設け、この窪みと嵌め合うように凸部となる突起を内視鏡側に設ける構成としても良い。さらに、上記の説明では、内視鏡先端に先端キャップを取り付けた実施形態としているが、先端キャップを用いずに内視鏡自体に送水ノズルを取り付けて使い捨てにする構成でも良い。また、先端キャップには、副送水ノズルのみを一体化しても良いし、洗浄液ノズルのみを一体化しても良い。
【符号の説明】
【００２８】
２    副送水口
４，５，２０    送気・送水口
１０，１００，２００    内視鏡の先端
１１    先端キャップ
１３    副送水チャンネル
１４    副送水ノズル
１５ａ〜１５ｄ，１８    突起
１６    洗浄液チャンネル
１７    洗浄液ノズル
１９    引掛かり部
【図１】
2011050657.tif 000003
【図２】
2011050657.tif 000004
【図３】
2011050657.tif 000005
【図４】
2011050657.tif 000006
【図５】
2011050657.tif 000007
【図６】
2011050657.tif 000008
【図７】
2011050657.tif 000009